【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
遊技者の操作によって遊技球が打込まれる遊技領域を有する遊技機において、
前記遊技領域は、センター役物によって左側遊技領域と右側遊技領域とに分けられており、
前記遊技領域内に打込まれた遊技球を受入可能とされており遊技球の受入れによって特典を付与可能な受入口と、
前記受入口よりも前記遊技領域内の上流側に設けられ、左右に延びていると共に左右のうちの一方が低くなるように上面が傾斜している固定棚部と、
前記固定棚部よりも下側の位置で左右に延びていると共に前記固定棚部の低くなっている一端側と相対する一端側が低くなるように上面が傾斜し、正面視手前側に前進した前進位置と正面視奥側に後退した後退位置とに、動作可能な可動棚部と、
を備え、
前記可動棚部は、上面に複数の遊技球が転動可能な転動面を有し、前記前進位置に位置することで前記遊技領域内に前記転動面を出現させ、出現させた前記転動面を前記固定棚部の上面を転動した遊技球の転動流路として遊技領域内に形成するものであり、
前記受入口を前記可動棚部が前記前進位置に位置した際に前記遊技領域内に形成される前記転動流路と繋がるように配置したことで、前記固定棚部の上面を転動したのちに前記転動流路を転動した遊技球のみ前記受入口へ受入可能とし、前記固定棚部の上面および前記転動流路を転動していない遊技球は前記受入口に受入不能にされており、
前記固定棚部の低くなっている一端側よりも左右方向外側に上下に延び、前記固定棚部の上面を転動した遊技球が当接可能とされている立壁部を備えている
ことを特徴とする遊技機。
【手続補正２】
【補正対象書類名】明細書
【補正対象項目名】０００４
【補正方法】変更
【補正の内容】
【０００４】
しかしながら、特許文献１や特許文献２のような従来の遊技機では、遊技興趣の低下が懸念される。
【手続補正３】
【補正対象書類名】明細書
【補正対象項目名】０００５
【補正方法】変更
【補正の内容】
【０００５】
そこで、本発明は上記の実情に鑑み、遊技興趣の低下を抑制することが可能な遊技機の提供を課題とする。
【手続補正４】
【補正対象書類名】明細書
【補正対象項目名】０００６
【補正方法】変更
【補正の内容】
【０００６】
手段１：遊技者の操作によって遊技球が打込まれる遊技領域を有する遊技機において、
前記遊技領域は、センター役物によって左側遊技領域と右側遊技領域とに分けられており、
前記遊技領域内に打込まれた遊技球を受入可能とされており遊技球の受入れによって特典を付与可能な受入口と、
前記受入口よりも前記遊技領域内の上流側に設けられ、左右に延びていると共に左右のうちの一方が低くなるように上面が傾斜している固定棚部と、
前記固定棚部よりも下側の位置で左右に延びていると共に前記固定棚部の低くなっている一端側と相対する一端側が低くなるように上面が傾斜し、正面視手前側に前進した前進位置と正面視奥側に後退した後退位置とに、動作可能な可動棚部と、
を備え、
前記可動棚部は、上面に複数の遊技球が転動可能な転動面を有し、前記前進位置に位置することで前記遊技領域内に前記転動面を出現させ、出現させた前記転動面を前記固定棚部の上面を転動した遊技球の転動流路として遊技領域内に形成するものであり、
前記受入口を前記可動棚部が前記前進位置に位置した際に前記遊技領域内に形成される前記転動流路と繋がるように配置したことで、前記固定棚部の上面を転動したのちに前記転動流路を転動した遊技球のみ前記受入口へ受入可能とし、前記固定棚部の上面および前記転動流路を転動していない遊技球は前記受入口に受入不能にされており、
前記固定棚部の低くなっている一端側よりも左右方向外側に上下に延び、前記固定棚部の上面を転動した遊技球が当接可能とされている立壁部を備えていることを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】変更
【補正の内容】
【００４７】
このように、本発明によれば、遊技興趣の低下を抑制することが可能な遊技機を提供することができる。